(57)【要約】      （修正有）【課題】チェーンが堆肥に接触せず、チェーンの腐食による撹拌機能の低下を防止でき、チェーン自体の騒音を低減でき、構成簡素で、取扱い易く、メンテナンスが容易で、経済的な自走式堆肥撹拌装置を提供する。【解決手段】走行レール１に沿って往復移動自在な走行体Ａと、先端がわが上下方向に揺動自在となるように走行体Ａに装着した揺動フレームＢと、揺動フレームＢの先端がわに配設して、堆肥を撹拌できるよう回転する撹拌用回転体Ｃとを備える。揺動フレームＢには、左右一対の中空アーム１１を設け、撹拌用回転体Ｃは、揺動フレームＢの左右一対の中空アーム１１の先端部分に横架配設すると共に、一方の中空アーム１１内に配設するチェーンによって回転できるよう構成する。【選択図】図１
0003161106.tif 000002
【実用新案登録請求の範囲】
【請求項１】
堆肥用撹拌槽の上方に配置される走行レールの上を移動しながら堆肥用撹拌槽内の堆肥を撹拌できるように構成した自走式堆肥撹拌装置であって、走行レールに沿って往復移動自在な走行体と、その先端がわが上下方向に揺動自在となるように走行体に装着される揺動フレームと、この揺動フレームの先端がわに配設されて、堆肥を撹拌できるように回転する撹拌用回転体とを備え、前記揺動フレームには、左右一対の中空アームを設け、前記撹拌用回転体は、揺動フレームの左右一対の中空アームの先端部分に横架配設されると共に、どちらか一方の中空アーム内に配設されるチェーンによって回転できるよう構成したことを特徴とする自走式堆肥撹拌装置。
【請求項２】
前記撹拌用回転体は、中空円筒状の回転軸体と、この回転軸体の外周面に、軸心方向及び回転方向に沿って所定の間隔で固定される複数の撹拌羽根体とからなり、この撹拌羽根体は、その基端が回転軸体に互換可能に装着される撹拌腕片と、この撹拌腕片の先端に固着される撹拌爪片とからなり、撹拌爪片には、所定間隔に配される複数の三角状の爪突起を設けたことを特徴とする請求項１記載の自走式堆肥撹拌装置。
【考案の詳細な説明】
【技術分野】
【０００１】
本考案は、堆肥用撹拌槽の堆肥を撹拌するための自走式堆肥撹拌装置に係り、特に、腐食による機能の低下防止や、騒音の低減や、構成の簡素化等が図れるようにすると共に、比較的低廉に提供でき、維持費を抑制でき、メンテナンスが行い易くなるように工夫した自走式堆肥撹拌装置に関するものである。
【背景技術】
【０００２】
従来、この種の自走式堆肥撹拌装置としては、例えば、特許文献１に示すような自走式堆肥撹拌機が開示されている。
これによれば、撹拌槽内に浸る撹拌コンベア部の部材に、ベアリング類を除く全ての部材をステンレス仕様にし、堆肥から発生するアンモニアガスによる機体の腐敗促進を抑え、また、ベアリング類もカバーやグリスニップルを設け、ベアリング全体にグリースを注入し、尿の水分によるサビの発生を抑えるようにすることが開示されている。
【先行技術文献】
【特許文献】
【０００３】
【特許文献１】実用新案登録第３０９３４１３号公報
【考案の概要】
【考案が解決しようとする課題】
【０００４】
ところが、前述のような自走式堆肥撹拌機にあっては、ベアリング類を除く全ての部材をステンレス仕様にすることで、その費用の負担がかなり大きいものとなる経済的な問題点があった。また、撹拌コンベア全体が堆肥に接触し易いため、ベアリング類に設けられるカバーやグリスニップルの数が多くなると共に、撹拌コンベア全体の構成が複雑化し易い難点もあった。すなわち、メンテナンスが面倒となる等の難点もあった。
そこで、本願考案者は、前述のような難点等を解消できるようにして、腐食による機能の低下を防止でき、騒音を低減でき、構成が簡素で、取扱い易く、メンテナンスが容易となり、比較的低廉で経済的な自走式堆肥撹拌装置を案出したものである。
【課題を解決するための手段】
【０００５】
しかして、前述の如き課題を達成できるようにすべく、請求項１記載の自走式堆肥撹拌装置にあっては、堆肥用撹拌槽の上方に配置される走行レール１の上を移動しながら堆肥用撹拌槽内の堆肥を撹拌できるように構成した自走式堆肥撹拌装置であって、走行レール１に沿って往復移動自在な走行体Ａと、その先端がわが上下方向に揺動自在となるように走行体Ａに装着される揺動フレームＢと、この揺動フレームＢの先端がわに配設されて、堆肥を撹拌できるように回転する撹拌用回転体Ｃとを備え、前記揺動フレームＢには、左右一対の中空アーム１１を設け、前記撹拌用回転体Ｃは、揺動フレームＢの左右一対の中空アーム１１の先端部分に横架配設されると共に、どちらか一方の中空アーム１１内に配設されるチェーン１７によって回転できるよう構成する手段を採用した。
【０００６】
また、請求項２記載の自走式堆肥撹拌装置にあっては、前記撹拌用回転体Ｃは、中空円筒状の回転軸体２０と、この回転軸体２０の外周面に、軸心方向及び回転方向に沿って所定の間隔で固定される複数の撹拌羽根体２１とからなり、この撹拌羽根体２１は、その基端が回転軸体２０に互換可能に装着される撹拌腕片２２と、この撹拌腕片２２の先端に固着される撹拌爪片２３とからなり、撹拌爪片２３には、所定間隔に配される複数の三角状の爪突起２３ａを設ける手段を採用した。
【考案の効果】
【０００７】
従って、請求項１の自走式堆肥撹拌装置によれば、構成が簡素で、取扱い易く、メンテナンスが容易となり、比較的低廉で経済的な自走式堆肥撹拌装置となる。
特に、撹拌用回転体Ｃは、揺動フレームＢの左右一対の中空アーム１１の先端部分に横架配設されると共に、どちらか一方の中空アーム１１内に配設されるチェーン１７によって回転できるよう構成したので、チェーン１７が堆肥に接触することがなくなり、チェーン１７の腐食による撹拌機能の低下を防止できるようになると共に、耐久性が向上するようになる。しかも、チェーン１７自体の騒音も低減できるようになる。
【０００８】
また、請求項２の自走式堆肥撹拌装置によれば、撹拌羽根体２１が腐食や損耗したときには、新しい撹拌羽根体２１を回転軸体２０に簡単に互換装着できるようになり、メンテナンスが容易となると共に、より経済的となる。
更に、撹拌爪片２３には、所定間隔に配される複数の三角状の爪突起２３ａを設けたので、堆肥の撹拌が良好に行えるようになると共に、堆肥が撹拌爪片２３に付着し難いものとなる。
【図面の簡単な説明】
【０００９】
【図１】本考案の自走式堆肥撹拌装置を例示する一部を省略した概略側面図である。
【図２】本考案の自走式堆肥撹拌装置の揺動フレーム及び撹拌用回転体を例示する部分切欠平面図である。
【図３】本考案の自走式堆肥撹拌装置の揺動フレーム及び撹拌用回転体を例示する一部を省略した部分切欠側面図である。
【考案を実施するための形態】
【００１０】
以下、本考案を説明すると、次の通りである。
本考案は、堆肥用撹拌槽の上方に配置される走行レール１の上を移動しながら堆肥用撹拌槽内の堆肥を撹拌できるように構成した自走式堆肥撹拌装置に係るものである。
具体的には、走行レール１に沿って往復移動自在な走行体Ａと、その先端がわが上下方向に揺動自在となるように走行体Ａに装着される揺動フレームＢと、この揺動フレームＢの先端がわに配設されて、堆肥を撹拌できるように回転する撹拌用回転体Ｃとを備えたものである。
そして、前記揺動フレームＢには、左右一対の中空アーム１１を設け、前記撹拌用回転体Ｃは、揺動フレームＢの左右一対の中空アーム１１の先端部分に横架配設されると共に、どちらか一方の中空アーム１１内に配設されるチェーン１７によって回転できるよう構成することにより、前記課題を達成する。
【実施例】
【００１１】
前記走行体Ａは、例えば、一対の走行レール１に跨るような矩形枠状に形成される金属製走行基台２と、この走行基台２の四隅部下方に配されると共に、走行レール１の上を転動する複数の車輪３と、所定の車輪３を駆動回転させる走行用モータ４とを備えており、走行用モータ４の回転によって所定の車輪３を回転せしめることにより、一対の走行レール１上を往復移動できるように構成されている。
尚、走行用モータ４の駆動回転力は、適宜連繋手段（例えば、スプロケットとチェーン、或いは、歯車列、或いは、その他適宜自由に設定できる。）によって所定の車輪３に伝達できるように構成されている。
【００１２】
また、走行基台２には、巻上げ用モータ５が搭載されており、この巻上げ用モータ５は、巻上げチェーン６を巻取り、巻出し自在となるように構成されており、巻上げチェーン６の先端部分に固定される揺動フレームＢを上下に揺動せしめられるように設けられたものである。すなわち、撹拌作業を行うときには、巻上げチェーン６を巻出して揺動フレームＢを下方に揺動させ、撹拌作業を行わないときには、巻上げチェーン６を巻取って揺動フレームＢを上方に揺動せしめられるように構成されている。
【００１３】
図中７は、走行基台２の一端がわ左右下部に固定される一対のブラケットで、このブラケット７に回転自在（或いは、回転不能）に装着される取付軸８を介して、揺動フレームＢの基端がわ部分が、上下に揺動自在に支持できるよう構成されている。
【００１４】
前記揺動フレームＢは、例えば、金属製フレーム基体１０と、このフレーム基体１０の先端部分に装着される撹拌用回転体Ｃを回転せしめる駆動回転手段とからなっている。
そして、フレーム基体１０は、例えば、一対の左右中空アーム１１と、この左右中空アーム１１の基端部分を連結する横架材１２と、左右中空アーム１１の略中央部分に横架配設される連結材１３とによって構成されており、左右中空アーム１１の先端部分に撹拌用回転体Ｃを回転自在に支持できるよう構成されている。
また、撹拌用回転体Ｃを回転させる駆動回転手段は、例えば、フレーム基体１０の基端がわに配される撹拌用モータ１５と、この撹拌用モータ１５の駆動回転軸に固定されると共に、中空アーム１１内に配される駆動スプロケット１６と、中空アーム１１の先端がわ内部に配されると共に、撹拌用回転体Ｃの回転軸体２０の左右両端に突設される軸部のどちらか一方に固定される従動スプロケット１８と、この従動スプロケット１８と駆動スプロケット１６に巻き掛けられると共に、中空アーム１１に内装されるチェーン１７とを備えたものである。すなわち、駆動スプロケット１６、チェーン１７、従動スプロケット１８が、中空アーム１１内に収まっていることにより、これらが堆肥に触れることがなくなり、腐食し難くなるように形成されている。しかも、チェーン１７による騒音も低減できるように形成されている。
尚、図中１９は、中空アーム１１の先端部分に夫々固定されて、回転軸体２０の左右両端に突設される軸部を回転自在に支持する軸受である。
【００１５】
前記撹拌用回転体Ｃは、例えば、中空円筒状の金属製回転軸体２０と、この回転軸体２０の外周面に、軸心方向及び回転方向に沿って所定の間隔で固定される複数の金属製撹拌羽根体２１とからなっている。
そして、前記回転軸体２０は、前記軸受１９で回転自在に支えられると共に、その殆どが中空アーム１１内に収まる軸部が、その左右端部に突設されている。しかも、この軸部の一方には、従動スプロケット１８が固定されており、撹拌用モータ１５の駆動回転力が回転軸体２０に確実に且つスムーズに伝達できるように構成されている。
また、前記撹拌羽根体２１は、その基端部分が回転軸体２０に互換可能に装着される撹拌腕片２２と、この撹拌腕片２２の先端に固着される撹拌爪片２３とによって構成されており、撹拌爪片２３には、所定間隔に配される複数の三角状の爪突起２３ａを設けられている。
【００１６】
前記撹拌腕片２２は、例えば、回転軸体２０の外周面に突出した取付け片に、ボルト、ナット等を介してその基端部分が取外し可能に固定されている。すなわち、撹拌腕片２２や撹拌爪片２３が損耗したときに、簡単に互換装着できるように構成されている。
尚、撹拌腕片２２自体を長手方向で二分割すると共に、ボルト、ナット等を介して連結分離自在となるように形成してあっても良い。すなわち、撹拌爪片２３が損耗したときに撹拌爪片２３と共に先端がわの撹拌腕片２２を互換装着できるように構成して、より経済性の優れたものとなるようにしても良い。
【００１７】
前記撹拌爪片２３は、例えば、側面く字状に折曲した金属板材等によって形成され、その基端がわ部分が撹拌腕片２２の先端部分に固着（例えば、溶着）され、その先端部分が複数（例えば、三個）の細長三角状の爪突起２３ａによって構成されている。
しかも、隣設する爪突起２３ａの間は、比較的幅広なＶ字溝状に形成してあり、撹拌される堆肥が付着し難いように形成してある。
【００１８】
本考案の自走式堆肥撹拌装置は、以上に述べた実施形態に限られるものではなく、考案の要旨を逸脱しない範囲内で各種の変更が可能なものである。
【産業上の利用可能性】
【００１９】
しかして、本考案の自走式堆肥撹拌装置によれば、撹拌機能の低下を防止でき、騒音を低減でき、構成簡素で、取扱い易く、メンテナンスが容易で、比較的低廉で経済的なものとなる。
【符号の説明】
【００２０】
Ａ      走行体
１      走行レール
２      走行基台
３      車輪
４      走行用モータ
５      巻上げ用モータ
６      巻上げチェーン
７      ブラケット
８      取付軸
Ｂ      揺動フレーム
１０    フレーム基体
１１    中空アーム
１２    横架材
１３    連結材
１５    撹拌用モータ
１６    駆動スプロケット
１７    チェーン
１８    従動スプロケット
１９    軸受
Ｃ      撹拌用回転体
２０    回転軸体
２１    撹拌羽根体
２２    撹拌腕片
２３    撹拌爪片
２３ａ  爪突起
【図１】
0003161106.tif 000003
【図２】
0003161106.tif 000004
【図３】
0003161106.tif 000005